(57)【要約】【課題】ローラのフレーム外への搬出作業やローラのフレーム内への搬入作業を容易にできるようにする。【解決手段】レバー１３７に支持される水着けローラ１３５を移動させるローラ移動装置であって、一対のフレーム１００間に着脱可能に支持される内フレーム１１，１２と、前記ローラ１３５を支承する支承プレート３７と、内フレーム１１，１２に支持されて、レバー１３７に支持される前記ローラ１３５に寄り添う位置の第一の位置と内フレーム１１，１２の先端側の第二の位置との間で支承プレート３７を移動可能に支持する支承部材移動手段１４〜３６とを備えていると共に、内フレーム１１，１２が、フレーム１００の端面近傍に位置する第三の位置と前記第二の位置との間で前記ローラ１３５の移動を案内する案内面を有している。【選択図】        図１
2005047063.tif 000002
【特許請求の範囲】
【請求項１】
ローラを移動させるローラ移動装置であって、
一対のフレーム間に着脱可能に支持される内フレームと、
前記ローラを支承する支承部材と、
前記内フレームに支持されて、支持部材に支持された前記ローラの近傍の位置の第一の位置と当該内フレーム上の第二の位置との間で前記支承部材を移動可能に支持する支承部材移動手段と
を備えていると共に、
前記内フレームが、前記フレームの端面近傍に位置する第三の位置と前記第二の位置との間で前記ローラの移動を案内する案内面を有している
ことを特徴とするローラ移動装置。
【請求項２】
ローラを移動させるローラ移動装置であって、
一対のフレーム間に着脱可能に支持される内フレームと、
前記ローラを支承する支承部材と、
前記内フレームに支持されて、支持部材に前記ローラを取り付ける位置の第一の位置と当該内フレーム上の第二の位置との間で前記支承部材を移動可能に支持する支承部材移動手段と
を備えていると共に、
前記内フレームが、前記フレームの端面近傍に位置する第三の位置と前記第二の位置との間で前記ローラの移動を案内する案内面を有している
ことを特徴とするローラ移動装置。
【請求項３】
請求項１又は請求項２において、
前記支承部材が、前記ローラの軸方向に沿って移動可能に支持されている
ことを特徴とするローラ移動装置。
【請求項４】
請求項３において、
前記支承部材移動手段が、
前記内フレームに回転可能に支持されたねじ軸と、
前記ねじ軸を回転させるねじ軸回転手段と、
前記ねじ軸に螺合するナットブロックと、
前記ナットブロックに一体的に支持された移動部材と、
前記ローラの軸方向に沿ってスライド移動できるように前記移動部材に支持されて前記支承部材を支持するスライドプレートと
を備えていることを特徴とするローラ移動装置。
【請求項５】
請求項１又は請求項２において、
前記内フレームの前記案内面が、前記ローラの周面を案内する
ことを特徴とするローラ移動装置。
【請求項６】
請求項１又は請求項２において、
前記ローラが、印刷機の給水装置又はインキ供給装置のローラであり、
前記内フレームが、前記インキ供給装置のインキ壷に着脱可能に支持される
ことを特徴とするローラ移動装置。
【発明の詳細な説明】
【０００１】
【発明の属する技術分野】
本発明は、ローラを移動させるローラ移動装置に関し、特に、印刷機の給水装置やインキ供給装置の各種ローラを交換する際に利用すると有効なものである。
【０００２】
【従来の技術】
例えば、印刷機のインキ供給装置や給水装置において、版胴に隣接してフレーム内の最も内側に位置しているインキ着けローラや水着けローラを交換しようとする場合、フレーム内の外寄りに他のローラ等が多数存在するため、取り外した上記ローラのフレーム内から外側への搬出作業や、新たな上記ローラのフレーム内の所定の位置への搬入作業は、非常に面倒であった。
【０００３】
このため、例えば、下記の特許文献１では、インキ振りローラの軸端部を中心に回転するアームの先端にインキ着けローラを支持させ、当該アームの基端にエアシリンダを連結し、当該インキ着けローラの交換の際に、エアシリンダを駆動してアームを回転させることにより、当該インキ着けローラを上記作業の容易な箇所にまで移動させるようにしたローラ支持装置を提案している。
【０００４】
【特許文献１】
特開２０００−９４６４８号公報
【０００５】
【発明が解決しようとする課題】
前述したような特許文献１に記載されたローラ支持装置においては、インキ着けローラの隣に位置するインキ振りローラを支点にしてアームを回転させることによりインキ着けローラを移動させるようにしていることから、インキ着けローラを大きく動かすことができないため、移動位置に移動させたインキ着けローラを上記アームから取り外す場合や、上記アームに設けられた軸受にインキ着けローラに挿入する場合等の作業が、非常に大掛かりとなってしまっていた。
【０００６】
【課題を解決するための手段】
前述した課題を解決するための、本発明は、ローラを移動させるローラ移動装置であって、一対のフレーム間に着脱可能に支持される内フレームと、前記ローラを支承する支承部材と、前記内フレームに支持されて、支持部材に支持された前記ローラの近傍の位置の第一の位置と当該内フレーム上の第二の位置との間で前記支承部材を移動可能に支持する支承部材移動手段とを備えていると共に、前記内フレームが、前記フレームの端面近傍に位置する第三の位置と前記第二の位置との間で前記ローラの移動を案内する案内面を有していることを特徴とするローラ移動装置である。
【０００７】
また、本発明は、ローラを移動させるローラ移動装置であって、一対のフレーム間に着脱可能に支持される内フレームと、前記ローラを支承する支承部材と、前記内フレームに支持されて、支持部材に前記ローラを取り付ける位置の第一の位置と当該内フレーム上の第二の位置との間で前記支承部材を移動可能に支持する支承部材移動手段とを備えていると共に、前記内フレームが、前記フレームの端面近傍に位置する第三の位置と前記第二の位置との間で前記ローラの移動を案内する案内面を有していることを特徴とするローラ移動装置である。
【０００８】
また、本発明は、上述したローラ移動装置において、前記支承部材が、前記ローラの軸方向に沿って移動可能に支持されていることを特徴とするローラ移動装置である。
【０００９】
また、本発明は、上述したローラ移動装置において、前記支承部材移動手段が、前記内フレームに回転可能に支持されたねじ軸と、前記ねじ軸を回転させるねじ軸回転手段と、前記ねじ軸に螺合するナットブロックと、前記ナットブロックに一体的に支持された移動部材と、前記ローラの軸方向に沿ってスライド移動できるように前記移動部材に支持されて前記支承部材を支持するスライドプレートとを備えていることを特徴とするローラ移動装置である。
【００１０】
また、本発明は、上述したローラ移動装置において、前記内フレームの前記案内面が、前記ローラの周面を案内することを特徴とするローラ移動装置である。
【００１１】
また、本発明は、上述したローラ移動装置において、前記ローラが、印刷機の給水装置又はインキ供給装置のローラであり、前記内フレームが、前記インキ供給装置のインキ壷に着脱可能に支持されることを特徴とするローラ移動装置である。
【００１２】
【発明の実施の形態】
本発明に係るローラ移動装置を例えば印刷機の給水装置の水着けローラの交換の際に適用する場合の実施の形態を図１〜５を用いて説明する。図１は、ローラ移動装置の側面図、図２は、図１のローラ移動装置の平面図、図３は、図２の矢線  ＩＩＩ方向から見た図、図４は、図２の矢線ＩＶ部の抽出拡大図、図５は、給水装置の振りローラ及び水着けローラの支持構造の説明図である。
【００１３】
図１において、１００は印刷機のフレーム、１１０は版胴、１２０はインキ供給装置、１３０は給水装置である。
【００１４】
図１に示すように、インキ供給装置１２０は、インキ壷１２１と、インキ壷ローラ１２２と、インキ移しローラ１２３と、インキローラ群１２４と、インキ着けローラ１２５とを備え、インキ壷１２１内からインキ壷ローラ１２２により送り出したインキをインキ移しローラ１２３によりインキローラ群１２４に移していくことで、インキ着けローラ１２５により版胴１１０にインキを供給することができるようになっており、印刷機のフレーム１００に対してこれら部材１２１〜１２５がそれぞれ支持されている。
【００１５】
また、図１に示すように、給水装置１３０は、水溜め１３１と、水元ローラ１３２と、水移しローラ１３３と、振りローラ１３４と、水着けローラ１３５とを備え、水溜め１３１内から水元ローラ１３２により送り出した水を水移しローラ１３３により振りローラ１３４に移していくことで、水着けローラ１３５により版胴１１０に水を供給することができるようになっており、印刷機のフレーム１００に対してこれら部材１３１〜１３５がそれぞれ支持されている。
【００１６】
図５に示すように、振りローラ１３４は、軸受１３６を介してフレーム１００に周方向に回転可能かつ軸方向に移動可能に支持されている。軸受１３６の小径部１３６ａには、支持部１３７ａを先端側に形成された支持部材であるレバー１３７の基端側が支持されており、当該レバー１３７は、スリーブ１３６ｂ及びリング部材１３６ｃにより当該軸受１３６に固定されている。
【００１７】
レバー１３７の支持部１３７ａには、前記水着けローラ１３５の端軸１３５ａを回転可能に支持する軸受１３８が支持されており、当該軸受１３８は、レバー１３７の支持部１３７ａにボルト１３８ｂで固定される抜け止め片１３８ｃにより当該レバー１３７の支持部１３７ａからの脱落が防止されている。
【００１８】
図１〜３に示すように、インキ供給装置１２０のインキ壷１２１の幅方向両側の堰板１２１ａの上端面には、Ｌ字型の金具１がそれぞれ固定されている。これら金具１上には、支持ブロック２がそれぞれ配置されている。これら金具１及び支持ブロック２には、取付ボルト３が螺合しており、当該取付ボルト３は、当該取付ボルト３の頭部と支持ブロック２との間で後述する支持ステー１０の切欠溝１０ａの図１，２中の矢線Ａ方向への移動を可能にする程度の間隔を有しながら、当該支持ブロック２を金具１に対して固定するようになっている。
【００１９】
幅方向両側の前記支持ブロック２上には、Ｌ字型の支持ステー１０が当該支持ブロック２間を橋渡すようにして配設されている。支持ステー１０の両端寄りには、前記取付ボルト３の頭部と支持ブロック２との間に着脱可能に嵌合する切欠溝１０ａがそれぞれ形成されている。また、前記金具１には、押しねじ４が設けられている。
【００２０】
つまり、支持ステー１０の切欠溝１０ａを取付ボルト３の頭部と支持ブロック２との間に嵌合させるように幅方向両側の支持ブロック２間に支持ステー１０を橋渡して配設した後、押しねじ４を回転させると、押しねじ４の先端が支持ステー１０の背面に当接して当該支持ステー１０を押し出すことにより、支持ステー１０の支持及び位置決めを行うことができるようになっているのである。なお、図中、５は押しねじ４の金具１からの脱落を防止する止めピンである。
【００２１】
図１，２に示すように、支持ステー１０には、前記水着けローラ１３５の軸方向の長さよりも短い間隔で対をなすようにフレーム１００間に配設された内フレーム１１，１２の基端側がそれぞれ固定支持されている。これら内フレーム１１，１２は、上端面が、基端側よりも先端側を高く位置させるように傾斜して基端側と先端側との間で前記ローラ１３５等を転動移動可能に支持する案内面を有すると共に、先端側が、前記インキ供給装置１２０のローラ群１２４のローラの外周面と略同一の曲率の支承面を有して当該ローラに支承されている。
【００２２】
すなわち、上記内フレーム１１，１２は、基端側が、フレーム１００内の端面近傍（第三の位置）に位置すると共に、先端側が、給水装置１３０の水着けローラ１３５の近傍（第二の位置）に位置するようになっているのである。上記内フレーム１１，１２は、その中程で支持ビーム１３により連結支持されている。
【００２３】
前記支持ステー１０には、当該支持ステー１０の長手方向と直交する方向に沿って軸方向を向けた駆動シャフト１４が貫通している。この駆動シャフト１４は、支持ステー１０に受け部材１０ｂを介して回転可能に支持されている。駆動シャフト１４の基端側には、ハンドルレバー１５が取り付けられている。駆動シャフト１４の先端には、かさ歯車１６が同軸をなして固定されている。この駆動シャフト１４の先端側は、ブラケット１４ａを介して一方の内フレーム１１に回転可能に支持されている。
【００２４】
前記かさ歯車１６には、かさ歯車１８が噛合している。このかさ歯車１８は、前記内フレーム１１，１２間に回転可能に支持された従動シャフト１７の一方の端部側に同軸をなして固定されている。上記かさ歯車１８には、かさ歯車１９が噛合している。このかさ歯車１９は、先端側を基端側よりも上方に位置させるように傾斜配向されて一方の内フレーム１１に支持されたブラケット２０ａ，２０ｂを介して回転可能に支持されたねじ軸２０の基端に、同軸をなして固定されている。このねじ軸２０と当該ねじ軸２０の基端側を支持する前記ブラケット２０ａとの間には、スラストベアリング２０ｃが設けられている。
【００２５】
前記ねじ軸２０には、ナットブロック２１が螺合している。このナットブロック２１には、箱型の移動部材２２が前記ねじ軸２０及び当該ねじ軸２０の先端側を支持する前記ブラケット２０ｂを覆うようにして一体的に取り付けられている。
【００２６】
つまり、前記ハンドルレバー１５を操作して駆動シャフト１４を介してかさ歯車１６を回転させると、かさ歯車１８を介してかさ歯車１９が回転し、かさ歯車１９の回転に伴ってねじ軸２０が回転することにより、当該ねじ軸２０に沿ってナットブロック２１が移動し、移動部材２２を昇降させることができるようになっているのである。
【００２７】
他方、前記従動シャフト１７の他方の端部寄りには、かさ歯車２３が同軸をなして固定されている。かさ歯車２３には、かさ歯車２４が噛合している。このかさ歯車２４は、先端側を基端側よりも上方に位置させるように傾斜配向されて他方の内フレーム１２に支持されたブラケット２５ａ，２５ｂを介して回転可能に支持されたねじ軸２５の基端に同軸をなして固定支持されている。このねじ軸２５と当該ねじ軸２５の基端側を支持する前記ブラケット２５ａとの間には、スラストベアリング２５ｃが設けられている。
【００２８】
前記ねじ軸２５には、ナットブロック２６が螺合している。このナットブロック２６には、箱型の移動部材２７が前記ねじ軸２５及び当該ねじ軸２５の先端側を支持する前記ブラケット２５ｂを覆うようにして一体的に取り付けられている。また、前記移動部材２２，２７間は、支持ビーム２８により連結支持されている。
【００２９】
つまり、前記ハンドルレバー１５を操作して駆動シャフト１４を介してかさ歯車１６を回転させると、上述したように、かさ歯車１８を介してかさ歯車１９が回転する一方、前記従動シャフト１７を介してかさ歯車２３が回転し、当該かさ歯車２３を介してかさ歯車２４が回転して、上述と同様に、当該かさ歯車２４の回転に伴ってねじ軸２５が回転することにより、当該ねじ軸２５に沿ってナットブロック２６が移動し、移動部材２７を昇降させることができる、すなわち、移動部材２２，２７を同期して一体的に昇降移動させることができるようになっているのである。
【００３０】
図１，２，４に示すように、移動部材２２，２７の先端側には、取付板２９，３０がそれぞれ取り付けられている。これら取付板２９，３０上には、スライドプレート３１，３２がそれぞれ配設されている。スライドプレート３１には、給水装置１３０の水着けローラ１３５の軸方向に沿って長手方向を向けたガイド溝３１ａが形成されており、スライドプレート３２にも、当該ガイド溝３１ａと同様にして形成されたガイド溝が設けられている。
【００３１】
前記取付板２９上には、前記スライドプレート３１のガイド溝３１ａに摺動可能に係合するガイドピン３３が立設されており、前記取付板３０上にも、当該ガイドピン３３と同様に前記スライドプレート３２の前記ガイド溝に摺動可能に係合するガイドピン３４が立設されている。これら取付板２９，３０には、上記ガイドピン３３，３４からのスライドプレート３１，３２の脱落を防止するガイドプレート３５，３６がそれぞれ取り付けられている。
【００３２】
上記スライドプレート３１，３２上には、前記給水装置１３０の前記水着けローラ１３５等と略等しい曲率で湾曲した支承部材である支承プレート３７が当該スライドプレート３１，３２間を橋渡すようにして取り付けられている。
【００３３】
つまり、前記スライドプレート３１，３２は、上記支承プレート３７を支承して前記ローラ１３５等の軸方向に沿ってスライド移動することができるようになっているのである。
【００３４】
なお、本実施の形態では、金具１、支持ブロック２、取付ボルト３、押しねじ４、止めピン５等により位置決め固定手段を構成し、駆動シャフト１４、ハンドルレバー１５、かさ歯車１６，１８，１９，２３，２４、従動シャフト１７等によりねじ軸回転手段を構成し、当該ねじ軸回転手段、ねじ軸２０，２５、ナットブロック２１，２６、移動部材２２，２７、支持ビーム２８、取付板２９，３０、スライドプレート３１，３２、ガイドピン３３，３４、ガイドプレート３５，３６等により支承部材移動手段を構成している。
【００３５】
このようにして構成された本実施の形態に係るローラ移動装置を用いて印刷機の給水装置１３０の水着けローラ１３５を交換する場合について次に説明する。
【００３６】
まず、印刷機のフレーム１００内のインキ供給装置１２０のインキ壷１２１に取り付けた前記支持ブロック２上に支持ステー１０を橋渡すように配設し、支持ステー１０の切欠溝１０ａを取付ボルト３の頭部と支持ブロック２との間に嵌合させた後、押しねじ４を回転して、内フレーム１１，１２の先端側の支承面がインキ供給装置１２０のローラ群１２４のローラ１２４ａの外周面に当接して当該ローラ１２４ａに支承されるように支持ステー１０を押し出し、支持ステー１０並びに内フレーム１１，１２の支持及び位置決めを行い、ボルト３を締める。
【００３７】
続いて、ハンドルレバー１５を操作して駆動シャフト１４を回転させて、かさ歯車１６，１８，１９、従動シャフト１７、かさ歯車２３，２４を介してねじ軸２０，２５を回転させ、ナットブロック２１，２６、移動部材２２，２７等を介して支承プレート３７を、レバー１３７の支持部１３７ａに支持された給水装置１３０の水着けローラ１３５の近傍の位置（第一の位置）まで上昇させて、当該水着けローラ１３５の外周面の下方に当接させる。
【００３８】
そして、前記給水装置１３０の前記ボルト１３８ｂを抜いて抜け止め片１３８ｃを取り外し、前記軸受１３８と共に上記水着けローラ１３５を前記レバー１３７の支持部１３７ａから取り外すと、当該水着けローラ１３５は、支承プレート３７上に載置されて支承される。
【００３９】
次に、ハンドルレバー１５を操作して駆動シャフト１４を上述と逆方向に回転させて支承プレート３７を下降させ、当該支承プレート３７を内フレーム１１，１２の先端側の位置（第二の位置）にまで移動させた後、上記水着けローラ１３５を当該支障プレート３７上から引き出すように転動させると、当該水着けローラ１３５は、内フレーム１１，１２の前記案内面上を転動して当該内フレーム１１，１２の先端側から基端側にまで転動し、印刷機のフレーム１００内の端面近傍の位置（第三の位置）にまで移動する。
【００４０】
このとき、内フレーム１１，１２の対向間隔が水着けローラ１３５の軸方向の長さよりも短いので、当該水着けローラ１３５の取り外しの際に、当該水着けローラ１３５が軸方向にずれてしまったとしても、内フレーム１１，１２上から転動中に脱落してしまうことはない。
【００４１】
これにより、水着けローラ１３５を印刷機のフレーム１００の外側に容易に搬出することができる。
【００４２】
他方、新たな水着けローラ１３５を装着する場合には、水着けローラ１３５を内フレーム１１，１２の基端側上の位置（第三の位置）に載置し、当該内フレーム１１，１２の先端側の位置、すなわち、水着けローラ１３５の近傍位置（第二の位置）へ向けて前記案内面上を転動させて移動し、前記支承プレート３７上に載置する。
【００４３】
次に、上述と同様に、ハンドルレバー１５を操作して駆動シャフト１４を回転させて支承プレート３７を、レバー１３７の支持部１３７ａに給水装置１３０の前記水着けローラ１３５を取り付ける位置（第一の位置）まで上昇させた後、当該水着けローラ１３５の端軸１３５ａに取り付けられた軸受１３８のボス１３８ａをレバー１３７の支持部１３７ａに嵌合し、前記抜け止め片１３８ｃをボルト１３８ｂで固定することにより、当該水着けローラ１３５をレバー１３７の支持部１３７ａに支持させる。
【００４４】
ここで、水着けローラ１３５を内フレーム１１，１２の基端側上に載置する際に、印刷機のフレーム１００への軸方向での取り付け位置に対する水着けローラ１３５の位置がずれていたとしても、支承プレート３７がスライドプレート３１，３２等を介して前記内フレーム１１，１２に対して上記水着けローラ１３５の軸方向に沿ってスライド移動できるので、支承プレート３７をスライド移動させることにより、水着けローラ１３５を印刷機のフレーム１００への軸方向の正確な取り付け位置に容易に修正してレバー１３７を介して当該フレーム１００に取り付けることができる。
【００４５】
このようにしてレバー１３７に水着けローラ１３５を取り付けたら、ハンドルレバー１５を操作して支承プレート３７を下降させた後、前記押しねじ４を開放して支持ステー１０を取付ボルト３の頭部と支持ブロック２との間から取り外して、印刷機のフレーム１００内から搬出する。
【００４６】
したがって、本実施の形態に係るローラ移動装置によれば、前記水着けローラ１３５をフレーム１００の近傍と着脱位置との間で容易に移動させることができるので、当該ローラ１３５の着脱に係る作業の容易化を図ることができる。
【００４７】
また、印刷機のフレーム１００内にエアシリンダやアーム等のような嵩張る部材を取付固定しておく必要がないので、印刷機のフレーム１００内を煩雑にすることなく、取り外した水着けローラ１３５のフレーム１００内から外側への搬出作業や、新たな水着けローラ１３５のフレーム１００内の所定の位置への搬入作業を容易に行うことができる。
【００４８】
また、内フレーム１１，１２の対向間隔を水着けローラ１３５の軸方向の長さよりも短くしたので、当該水着けローラ１３５の取り外しの際に、当該水着けローラ１３５が軸方向にずれてしまったとしても、当該水着けローラ１３５が転動中に内フレーム１１，１２上から脱落してしまうことを防止でき、作業の安全性及び容易性の向上を図ることができる。
【００４９】
また、水着けローラ１３５を内フレーム１１，１２の基端側上に載置する際に、印刷機のフレーム１００への軸方向での取り付け位置に対する水着けローラ１３５の位置がずれていたとしても、支承プレート３７がスライドプレート３１，３２等を介して前記内フレーム１１，１２に対して上記水着けローラ１３５の軸方向に沿ってスライド移動できるので、支承プレート３７をスライド移動させることにより、水着けローラ１３５を印刷機のフレーム１００への軸方向の正確な取り付け位置に容易に修正してレバー１３７を介して当該フレーム１００に取り付けることができ、作業の安全性及び容易性の向上を図ることができる。
【００５０】
また、印刷機のフレーム１００内に着脱可能に設けることができるので、多色刷りの印刷機であっても、複数用意する必要がなく、効率よく使用することができる。
【００５１】
なお、本実施の形態では、内フレーム１１，１２の案内面で水着けローラ１３５の周面を案内するようにしたが、他の実施の形態として、例えば、内フレーム１１，１２の案内面で水着けローラ１３５の前記端軸１３５ａを案内するようにすることも可能である。
【００５２】
また、本実施の形態では、印刷機の給水装置１３０の水着けローラ１３５を交換する場合について説明したが、他の実施の形態として、例えば、印刷機のインキ供給装置のインキ着けローラを交換する場合や、印刷機の給水装置やインキ供給装置の他のローラを交換する場合はもちろんのこと、フレームから取り外したローラのフレーム内から外側への搬出作業や、フレーム内の所定の位置へのローラの搬入作業が非常に面倒な場合（例えば作業姿勢に無理を生じる場合等）であれば、本実施の形態の場合と同様にして適用することができる。
【００５３】
【発明の効果】
本発明のローラ移動装置によれば、ローラをフレームの近傍と着脱位置との間で容易に移動させることができるので、当該ローラの着脱に係る作業の容易化を図ることができる。
【図面の簡単な説明】
【図１】本発明に係るローラ移動装置を印刷機の給水装置の水着けローラの交換の際に適用した場合の実施の形態の側面図である。
【図２】図１のローラ移動装置の平面図
【図３】図２の矢線  ＩＩＩ方向から見た図である。
【図４】図２の矢線ＩＶ部の抽出拡大図である。
【図５】給水装置の振りローラ及び水着けローラの支持構造の説明図である。
【符号の説明】
１  金具
２  支持ブロック
３  取付ボルト
４  押しねじ
５  止めピン
１０  支持ステー
１０ａ  切欠溝
１０ｂ  受け部材
１１，１２  内フレーム
１３  支持ビーム
１４  駆動シャフト
１４ａ  ブラケット
１５  ハンドルレバー
１６，１８，１９，２３，２４  かさ歯車
１７  従動シャフト
２０，２５  ねじ軸
２０ａ，２０ｂ，２５ａ，２５ｂ  ブラケット
２０ｃ，２５ｃ  スラストベアリング
２１，２６  ナットブロック
２２，２７  移動部材
２８  支持ビーム
２９，３０  取付板
３１，３２  スライドプレート
３１ａ  ガイド溝
３３，３４  ガイドピン
３５，３６  ガイドプレート
３７  支承プレート
【図１】
2005047063.tif 000003
【図２】
2005047063.tif 000004
【図３】
2005047063.tif 000005
【図４】
2005047063.tif 000006
【図５】
2005047063.tif 000007
【手続補正書】
【提出日】平成16年6月18日(2004.6.18)
【手続補正１】
【補正対象書類名】明細書
【補正対象項目名】特許請求の範囲
【補正方法】変更
【補正の内容】
【特許請求の範囲】
【請求項１】
ローラを移動させるローラ移動装置であって、
一対のフレーム間に着脱可能に支持される内フレームと、
前記ローラを支承する支承部材と、
前記内フレームに支持されて、支持部材に前記ローラを取り付ける位置又は支持部材に支持された前記ローラの近傍の位置のいずれか一方の第一の位置と当該内フレーム上で当該ローラを受ける第二の位置との間で前記支承部材を移動可能に支持する支承部材移動手段と
を備えていると共に、
前記内フレームが、前記フレームの端面近傍に位置する第三の位置と前記第二の位置との間で前記ローラの移動を案内する案内面を有している
ことを特徴とするローラ移動装置。
【請求項２】
請求項１において、
前記支承部材が、前記ローラの軸方向に沿って移動可能に支持されている
ことを特徴とするローラ移動装置。
【請求項３】
請求項２において、
前記支承部材移動手段が、
前記内フレームに回転可能に支持されたねじ軸と、
前記ねじ軸を回転させるねじ軸回転手段と、
前記ねじ軸に螺合するナットブロックと、
前記ナットブロックに一体的に支持された移動部材と、
前記ローラの軸方向に沿ってスライド移動できるように前記移動部材に支持されて前記支承部材を支持するスライドプレートと
を備えていることを特徴とするローラ移動装置。
【請求項４】
請求項１において、
前記内フレームの前記案内面が、前記ローラの周面を案内する
ことを特徴とするローラ移動装置。
【請求項５】
請求項１において、
前記ローラが、印刷機の給水装置又はインキ供給装置のローラであり、
前記内フレームが、前記インキ供給装置のインキ壷に着脱可能に支持される
ことを特徴とするローラ移動装置。
【手続補正２】
【補正対象書類名】明細書
【補正対象項目名】０００６
【補正方法】変更
【補正の内容】
【０００６】
【課題を解決するための手段】
前述した課題を解決するための、本発明は、ローラを移動させるローラ移動装置であって、一対のフレーム間に着脱可能に支持される内フレームと、前記ローラを支承する支承部材と、前記内フレームに支持されて、支持部材に前記ローラを取り付ける位置又は支持部材に支持された前記ローラの近傍の位置のいずれか一方の第一の位置と当該内フレーム上で当該ローラを受ける第二の位置との間で前記支承部材を移動可能に支持する支承部材移動手段とを備えていると共に、前記内フレームが、前記フレームの端面近傍に位置する第三の位置と前記第二の位置との間で前記ローラの移動を案内する案内面を有していることを特徴とするローラ移動装置である。


【手続補正３】
【補正対象書類名】明細書
【補正対象項目名】０００７
【補正方法】削除
【補正の内容】
【手続補正４】
【補正対象書類名】明細書
【補正対象項目名】００１６
【補正方法】変更
【補正の内容】
【００１６】
図５に示すように、振りローラ１３４は、軸受１３６を介してフレーム１００に周方向に回転可能かつ軸方向に移動可能に支持されている。軸受１３６の小径部１３６ａには、支持部１３７ａを先端側に形成された支持部材であるレバー１３７の基端側が支持されており、当該レバー１３７は、スリーブ１３７ｂ及びリング部材１３７ｃにより当該軸受１３６に固定されている。


【手続補正５】
【補正対象書類名】明細書
【補正対象項目名】００２０
【補正方法】変更
【補正の内容】
【００２０】
つまり、支持ステー１０の切欠溝１０ａを取付ボルト３の頭部と支持ブロック２との間に嵌合させるように幅方向両側の支持ブロック２間に支持ステー１０を橋渡して配設した後、押しねじ４を回転させると、押しねじ４の先端が支持ブロック２の背面に当接して当該支持ブロック２を押し出すことにより、支持ステー１０の支持及び位置決めを行うことができるようになっているのである。なお、図中、５は押しねじ４の金具１からの脱落を防止する止めピンである。


【手続補正６】
【補正対象書類名】明細書
【補正対象項目名】００２１
【補正方法】変更
【補正の内容】
【００２１】
図１，２に示すように、支持ステー１０には、前記水着けローラ１３５の軸方向の長さよりも短い間隔で対をなすようにフレーム１００間に配設された内フレーム１１，１２の基端側がそれぞれ固定支持されている。これら内フレーム１１，１２は、上端面が、基端側よりも上端側を高く位置させるように傾斜して基端側と上端側との間で前記ローラ１３５等を転動移動可能に支持する案内面を有すると共に、先端側が、前記インキ供給装置１２０のローラ群１２４のローラの外周面と略同一の曲率の支承面を有して当該ローラに支承されている。


【手続補正７】
【補正対象書類名】明細書
【補正対象項目名】００２２
【補正方法】変更
【補正の内容】
【００２２】
すなわち、上記内フレーム１１，１２は、基端側が、フレーム１００内の端面近傍（第三の位置）に位置すると共に、上端側が、給水装置１３０の水着けローラ１３５の近傍（第二の位置）に位置するようになっているのである。上記内フレーム１１，１２は、その中程で支持ビーム１３により連結支持されている。


【手続補正８】
【補正対象書類名】明細書
【補正対象項目名】００３６
【補正方法】変更
【補正の内容】
【００３６】
まず、印刷機のフレーム１００内のインキ供給装置１２０のインキ壷１２１に取り付けた前記支持ブロック２上に支持ステー１０を橋渡すように配設し、支持ステー１０の切欠溝１０ａを取付ボルト３の頭部と支持ブロック２との間に嵌合させた後、押しねじ４を回転して、内フレーム１１，１２の先端側の支承面がインキ供給装置１２０のローラ群１２４のローラ１２４ａの外周面に当接して当該ローラ１２４ａに支承されるように支持ブロック２を押し出し、支持ステー１０並びに内フレーム１１，１２の支持及び位置決めを行い、ボルト３を締める。


【手続補正９】
【補正対象書類名】明細書
【補正対象項目名】００３９
【補正方法】変更
【補正の内容】
【００３９】
次に、ハンドルレバー１５を操作して駆動シャフト１４を上述と逆方向に回転させて支承プレート３７を下降させ、当該支承プレート３７を内フレーム１１，１２の上端側の位置（第二の位置）にまで移動させた後、上記水着けローラ１３５を当該支承プレート３７上から引き出すように転動させると、当該水着けローラ１３５は、内フレーム１１，１２の前記案内面上を転動して当該内フレーム１１，１２の上端側から基端側にまで転動し、印刷機のフレーム１００内の端面近傍の位置（第三の位置）にまで移動する。


【手続補正１０】
【補正対象書類名】明細書
【補正対象項目名】００４２
【補正方法】変更
【補正の内容】
【００４２】
他方、新たな水着けローラ１３５を装着する場合には、水着けローラ１３５を内フレーム１１，１２の基端側上の位置（第三の位置）に載置し、当該内フレーム１１，１２の上端側の位置、すなわち、水着けローラ１３５の近傍位置（第二の位置）へ向けて前記案内面上を転動させて移動し、前記支承プレート３７上に載置する。